(57)【要約】      （修正有）【課題】フラップの折り曲げ状態を適切に維持することが可能な箱用シートを提供する。【解決手段】箱体に組み立てられる箱用シート１０であって、組立状態で互いに対向する一対の第１側面パネル１ａ、１ｂ及び一対の第２側面パネル２ａ、２ｂと、一対の第１側面パネルの上下方向の一方側の側縁から延出し、内側に折り曲げられる一対の外フラップ３ａ、３ｂ、５ａ、５ｂとを備え、第１側面パネルと外フラップとの境界部分に、外フラップの先端側に向けて突出する複数の突片１１が間隔を空けて設けられており、突片が、第１側面パネルと外フラップとの境界線から外フラップの先端側に向けて延びる一対の側部スリットと、一対の側部スリットの先端部同士に接続される端部スリットとによって画定されており、端部スリットが湾曲しており、外フラップの延出方向における境界線と端部スリットとの最短距離がシート厚さの０．１倍以上０．９倍以下である。【選択図】図１
0003234173.tif 000002
【実用新案登録請求の範囲】
【請求項１】
箱体に組み立てられる箱用シートであって、
組立状態で互いに対向する一対の第１側面パネル及び一対の第２側面パネルと、
上記一対の第１側面パネルの上下方向の一方側の側縁から延出し、内側に折り曲げられる一対の外フラップと
を備え、
上記第１側面パネルと上記外フラップとの境界部分に、上記外フラップの先端側に向けて突出する複数の突片が間隔を空けて設けられており、
上記突片が、上記第１側面パネルと上記外フラップとの境界線から上記外フラップの先端側に向けて延びる一対の側部スリットと、上記一対の側部スリットの先端部同士に接続される端部スリットとによって画定されており、
上記端部スリットが湾曲しており、
上記外フラップの延出方向における上記境界線と上記端部スリットとの最短距離が、シート厚さの０．１倍以上０．９倍以下である箱用シート。
【請求項２】
上記外フラップの延出方向における上記境界線と上記端部スリットとの最長距離が、シート厚さの０．５倍以上１．５倍以下である請求項１に記載の箱用シート。
【請求項３】
上記外フラップの延出方向における上記境界線と上記端部スリットとの最長距離と上記境界線と上記端部スリットとの最短距離との差が、０．８ｍｍ以上２．５ｍｍ以下である請求項１又は請求項２に記載の箱用シート。
【請求項４】
上記端部スリットが円弧状である請求項１、請求項２又は請求項３に記載の箱用シート。
【請求項５】
上記端部スリットが、上記第１側面パネル側に向けて凸である請求項４に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この段ボールシートとしては、左右方向に交互に連接される一対の第１側面パネル及び一対の第２側面パネルと、上記第１側面パネル及び上記第２側面パネルの上縁からそれぞれ延出する蓋フラップと、上記第１側面パネル及び上記第２側面パネルの下縁からそれぞれ延出する底フラップとを有し、Ａ式（ミカン箱タイプ）の箱体に組み立て可能な構成のものが公知である。
【０００３】
この箱体としては、蓋フラップ又は底フラップの折り曲げ状態を確実に維持できることが望まれる。このような観点から、折り曲げられたフラップが元に戻ることを抑制するために、側面パネルとフラップとの境界部分にロック機構を設けることが提案されている（特開平７−２０５９５６号公報参照）。
【先行技術文献】
【特許文献】
【０００４】
【特許文献１】特開平７−２０５９５６号公報
【考案の概要】
【考案が解決しようとする課題】
【０００５】
上記公報には、フラップの基端縁から側面パネルに向けて突出するコ字状の複数の切込線を設け、さらにこれらの切込線間に折り曲げミシン目を設けることが記載されている。上記公報には、フラップが折り曲げられた場合に、このフラップの基端縁が切込線によって画定される突起部に引っかかることで、フラップが元に戻るのを抑制できることが記載されている。
【０００６】
しかしながら、この構成については、フラップの戻りを抑制する観点で改良の余地がある。
【０００７】
本考案は、このような不都合に鑑みてなされたものであり、フラップの折り曲げ状態を適切に維持することが可能な箱用シートを提供することを目的とする。
【課題を解決するための手段】
【０００８】
本考案の一態様に係る箱用シートは、箱体に組み立てられる箱用シートであって、組立状態で互いに対向する一対の第１側面パネル及び一対の第２側面パネルと、上記一対の第１側面パネルの上下方向の一方側の側縁から延出し、内側に折り曲げられる一対の外フラップとを備え、上記第１側面パネルと上記外フラップとの境界部分に、上記外フラップの先端側に向けて突出する複数の突片が間隔を空けて設けられており、上記突片が、上記第１側面パネルと上記外フラップとの境界線から上記外フラップの先端側に向けて延びる一対の側部スリットと、上記一対の側部スリットの先端部同士に接続される端部スリットとによって画定されており、上記端部スリットが湾曲しており、上記外フラップの延出方向における上記境界線と上記端部スリットとの最短距離が、シート厚さの０．１倍以上０．９倍以下である。
【考案の効果】
【０００９】
本考案の一態様に係る箱用シートは、フラップの折り曲げ状態を適切に維持することができる。
【図面の簡単な説明】
【００１０】
【図１】図１は、本考案の一実施形態に係る箱用シートを示す模式的平面図である。
【図２】図２は、図１の箱用シートの第１側面パネルと蓋外フラップとの境界部分を示す模式的部分拡大図である。
【図３】図３は、図１の箱用シートを組み立ててなる箱体を示す模式的斜視図である。
【図４】図４は、図３の箱体における第１側面パネルと蓋外フラップとの境界部分を示す模式的部分拡大図である。
【考案を実施するための形態】
【００１１】
［本考案の実施形態の説明］
最初に本考案の実施態様を列記して説明する。
【００１２】
本考案の一態様に係る箱用シートは、箱体に組み立てられる箱用シートであって、組立状態で互いに対向する一対の第１側面パネル及び一対の第２側面パネルと、上記一対の第１側面パネルの上下方向の一方側の側縁から延出し、内側に折り曲げられる一対の外フラップとを備え、上記第１側面パネルと上記外フラップとの境界部分に、上記外フラップの先端側に向けて突出する複数の突片が間隔を空けて設けられており、上記突片が、上記第１側面パネルと上記外フラップとの境界線から上記外フラップの先端側に向けて延びる一対の側部スリットと、上記一対の側部スリットの先端部同士に接続される端部スリットとによって画定されており、上記端部スリットが湾曲しており、上記外フラップの延出方向における上記境界線と上記端部スリットとの最短距離が、シート厚さの０．１倍以上０．９倍以下である。
【００１３】
当該箱用シートは、上記第１側面パネルと上記外フラップとの境界部分に、上記第１側面パネルと上記外フラップとの境界線から上記外フラップの先端側に向けて延びる一対の側部スリットと、上記一対の側部スリットの先端部同士に接続される端部スリットとによって画定される突片が設けられており、上記外フラップを上記第１側面パネルに対して略垂直に折り曲げた際に、上記外フラップの基端縁が上記突片に当接することで、上記外フラップの折り曲げ状態を維持することができる。当該箱用シートは、上記端部スリットが湾曲しており、上記外フラップの延出方向における上記境界線と上記端部スリットとの最短距離がシート厚さの０．１倍以上０．９倍以下であるので、上記外フラップの折り曲げ状態で、上記外フラップの基端縁と上記突片とを互いに押圧することができる。そのため、当該箱用シートは、上記外フラップの折り曲げ状態を適切に維持することができる。
【００１４】
上記外フラップの延出方向における上記境界線と上記端部スリットとの最長距離としては、シート厚さの０．５倍以上１．５倍以下が好ましい。このように、上記外フラップの延出方向における上記境界線と上記端部スリットとの最長距離が上記範囲内であることによって、上記外フラップの折り曲げ状態で、上記外フラップの基端縁を上記突片により適切に当接することができる。その結果、上記外フラップの折り曲げ状態をより確実に維持することができる。
【００１５】
上記外フラップの延出方向における上記境界線と上記端部スリットとの最長距離と上記境界線と上記端部スリットとの最短距離との差としては、０．８ｍｍ以上２．５ｍｍ以下が好ましい。このように、上記外フラップの延出方向における上記境界線と上記端部スリットとの最長距離と上記境界線と上記端部スリットとの最短距離との差が上記範囲内であることによって、上記外フラップの折り曲げ状態で、上記外フラップの基端縁を上記突片により適切に当接することができる。その結果、上記外フラップの折り曲げ状態をより確実に維持することができる。
【００１６】
上記端部スリットが円弧状であるとよい。このように、上記端部スリットが円弧状であることによって、上記外フラップの折り曲げ状態を容易かつ確実に維持することができる。
【００１７】
上記端部スリットが、上記第１側面パネル側に向けて凸であるとよい。このように、上記端部スリットが、上記第１側面パネル側に向けて凸であることによって、上記外フラップの折り曲げ容易化を図りつつ、上記外フラップの折り曲げ状態を容易かつ確実に維持することができる。
【００１８】
なお、本考案において、「上下方向」とは、箱用シートを組み立ててなる箱体において想定される一般的な使用態様における上下方向を意味する。「内」とは、箱用シートを組み立ててなる箱体における「内」を意味し、「外」とは上記箱体における「外」を意味する。「円弧状」とは、真円の円弧に限定されず、楕円又は長円の円弧を含む。
【００１９】
［本考案の実施形態の詳細］
以下、適宜図面を参照しつつ、本考案の実施の形態を詳説する。
【００２０】
［箱用シート］
図１及び図２の箱用シート１０は、箱体に組み立て可能であり、具体的には図３及び図４の箱体２０に組み立てられる。当該箱用シート１０は、組立状態で互いに対向する一対の第１側面パネル１ａ、１ｂ及び一対の第２側面パネル２ａ、２ｂを備える。一対の第１側面パネル１ａ、１ｂ及び一対の第２側面パネル２ａ、２ｂは、左右方向に交互に連接されている。また、当該箱用シート１０は、一対の第１側面パネル１ａ、１ｂの上縁（上方の側縁）から延出し、内側に折り曲げられる一対の蓋外フラップ３ａ、３ｂと、一対の第２側面パネル２ａ、２ｂの上縁から延出し、一対の蓋外フラップ３ａ、３ｂの内面側に折り曲げられる一対の蓋内フラップ４ａ、４ｂと、一対の第１側面パネル１ａ、１ｂの下縁（下方の側縁）から延出し、内側に折り曲げられる一対の底外フラップ５ａ、５ｂと、一対の第２側面パネル２ａ、２ｂの下縁から延出し、一対の底外フラップ５ａ、５ｂの内面側に折り曲げられる一対の底内フラップ６ａ、６ｂとを備える。さらに、当該箱用シート１０は、左右方向外側（図１では左側）に配置されている第１側面パネル１ａの左右方向外側の側縁から延出する継代７を備える。なお、「左右方向」とは、箱用シートを組み立ててなる箱体において想定される一般的な使用態様における水平方向を意味する。また、図１において、太い実線はシートを切断して形成される切断線を示し、細い実線はシートの片面を筋押しして形成される罫線を示している。第１側面パネル１ａ、１ｂと蓋外フラップ３ａ、３ｂとの間に配置されている罫線は、第１側面パネル１ａ、１ｂと蓋外フラップ３ａ、３ｂとの境界線を画定している。第１側面パネル１ａ、１ｂと底外フラップ５ａ、５ｂとの間に配置されている罫線は、第１側面パネル１ａ、１ｂと底外フラップ５ａ、５ｂとの境界線を画定している。
【００２１】
当該箱用シート１０は、１枚のシートから構成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
当該箱用シート１０を箱体２０に組み立てる手順について説明する。まず、左右方向外側（図１では左側）に位置する第１側面パネル１ａをこの第１側面パネル１ａに連接される第２側面パネル２ａの内面に折り重ね、左右方向外側（図１では右側）に位置する第２側面パネル２ｂをこの第２側面パネル２ｂに連接される第１側面パネル１ｂの内面に折り重ね、糊代７を折り重ねられた第２側面パネル２ｂの内面に貼着する。次に、無端状に接続された一対の第１側面パネル１ａ、１ｂ及び一対の第２側面パネル２ａ、２ｂを四角筒状に広げたうえ、一対の底内フラップ６ａ、６ｂを一対の第２側面パネル２ａ、２ｂに対して内側に略垂直に折り曲げ、続いて一対の底外フラップ５ａ、５ｂを一対の底内フラップ６ａ、６ｂの外面側に折り重ねるように内側に略垂直に折り曲げて先端縁同士を突き合わせることで箱体２０の底部を組み立てる。そして、四角筒状に組み立てられた一対の第１側面パネル１ａ、１ｂ及び一対の第２側面パネル２ａ、２ｂ内に所望の物品等を配置したうえで、一対の蓋内フラップ４ａ、４ｂを一対の第２側面パネル２ａ、２ｂに対して内側に略垂直に折り曲げ、続いて一対の蓋外フラップ３ａ、３ｂを一対の蓋内フラップ４ａ、４ｂの外面側に折り重ねるように内側に略垂直に折り曲げて先端縁同士を突き合わせることで箱体２０の蓋部を組み立てる。一対の底外フラップ５ａ、５ｂの先端縁同士の合わせ目、及び一対の蓋外フラップ３ａ、３ｂの先端縁同士の合わせ目には、箱体２０の底部及び蓋部の開放を防止するために封函テープＸを貼着してもよい。
【００２３】
（側面パネル）
一対の第１側面パネル１ａ、１ｂはそれぞれ略矩形状である。一対の第１側面パネル１ａ、１ｂ同士は略同一形状である。第１側面パネル１ａ、１ｂのサイズは、箱体２０に収容する物品の大きさや数量等に基づいて設定可能である。
【００２４】
一対の第２側面パネル２ａ、２ｂはそれぞれ略矩形状である。一対の第２側面パネル２ａ、２ｂ同士は略同一形状である。第２側面パネル２ａ、２ｂの左右方向長さは、箱体２０に収容する物品の大きさや数量等に基づいて設定可能である。第２側面パネル２ａ、２ｂの上下方向長さとしては、第１側面パネル１ａ、１ｂの上下方向長さと同じとすることができる。
【００２５】
（蓋外フラップ）
一対の蓋外フラップ３ａ、３ｂはそれぞれ略矩形状である。一対の蓋外フラップ３ａ、３ｂ同士は略同一形状である。蓋外フラップ３ａ、３ｂの幅は、第１側面パネル１ａ、１ｂの左右方向長さと略等しい。蓋外フラップ３ａ、３ｂの延出方向長さは、第２側面パネル２ａ、２ｂの左右方向長さの１／２程度とすることができる。
【００２６】
〔ロック機構〕
当該箱用シート１０は、第１側面パネル１ａ、１ｂと蓋外フラップ３ａ、３ｂとの境界部分に、蓋外フラップ３ａ、３ｂの折り曲げ状態を維持するためのロック機構が設けられている。以下、このロック機構について説明する。
【００２７】
図１及び図２に示すように、第１側面パネル１ａ、１ｂと蓋外フラップ３ａ、３ｂとの境界部分には、蓋外フラップ３ａ、３ｂの先端側に向けて突出する複数の突片１１が間隔を空けて設けられている。図２に示すように、突片１１は、第１側面パネル１ａ、１ｂと蓋外フラップ３ａ、３ｂとの境界線１２から蓋外フラップ３ａ、３ｂの先端側に向けて延びる一対の側部スリット１３ａと、一対の側部スリット１３ａの先端部同士に接続される端部スリット１３ｂとによって画定されている。
【００２８】
複数の突片１１は、上記境界部分に略等間隔で配置されている。隣接する突片１１同士の間隔としては、例えば３ｃｍ以上８ｃｍ以下程度とすることができる。また、各突片１１の幅としては、例えば３ｃｍ以上８ｃｍ以下程度とすることができる。
【００２９】
一対の側部スリット１３ａ同士は、平行に配置されている。一対の側部スリット１３ａは、第１側面パネル１ａ、１ｂと蓋外フラップ３ａ、３ｂとの境界線１２に対して垂直な方向に延びている。
【００３０】
端部スリット１３ｂは湾曲している。これにより、端部スリット１３ｂは、蓋外フラップ３ａ、３ｂの延出方向において境界線１２に対する距離が変化するよう構成されている。その結果、図３及び図４に示すように、蓋外フラップ３ａ、３ｂを第１側面パネル１ａ、１ｂに対して略垂直に折り曲げた状態で、端部スリット１３ｂによって画定される蓋外フラップ３ａ、３ｂの基端縁１４と突片１１との押圧力を、境界線１２と端部スリット１３ｂとの距離が短い部分において部分的に大きくすることができる。このため、シートの反力によって蓋外フラップ３ａ、３ｂが元に戻ろうとした際に、基端縁１４と突片１１とが強く干渉し合うことになり、蓋外フラップ３ａ、３ｂの折り曲げ状態からの戻りが適切に抑制される。従って、蓋外フラップ３ａ、３ｂの折り曲げ状態を安定的に維持することができる。
【００３１】
蓋外フラップ３ａ、３ｂの延出方向における境界線１２と端部スリット１３ｂとの最短距離Ｌｍｉｎ（図２参照）の下限としては、シート厚さの０．１倍であり、シート厚さの０．４倍が好ましい。一方、上記最短距離Ｌｍｉｎの上限としては、シート厚さの０．９倍であり、シート厚さの０．７倍が好ましい。上記最短距離Ｌｍｉｎが上記下限に満たないと、蓋外フラップ３ａ、３ｂの基端縁１４に押圧されることで、箱体２０に組み立てられた状態で、第１側面パネル１ａ、１ｂが外側に膨らみやすくなるおそれがある。また、上記最短距離Ｌｍｉｎが上記下限に満たないと、蓋外フラップ３ａ、３ｂを折り曲げた際に、蓋外フラップ３ａ、３ｂの基端縁１４を突片１１の内面側に配置し難くなるおそれがある。逆に、上記最短距離Ｌｍｉｎが上記上限を超えると、蓋外フラップ３ａ、３ｂの基端縁１４と突片１１との押圧力を十分に大きくし難くなるおそれがある。
【００３２】
蓋外フラップ３ａ、３ｂの延出方向における境界線１２と端部スリット１３ｂとの最長距離Ｌｍａｘ（図２参照）の下限としては、シート厚さの０．５倍が好ましく、シート厚さの０．８倍がより好ましく、シート厚さの０．９倍がさらに好ましい。一方、上記最長距離Ｌｍａｘの上限としては、シート厚さの１．５倍が好ましく、シート厚さの１．２倍がより好ましく、シート厚さの１．１倍がより好ましい。上記最長距離Ｌｍａｘが上記下限に満たないと、蓋外フラップ３ａ、３ｂを折り曲げた際に、蓋外フラップ３ａ、３ｂの基端縁１４を突片１１の内面側に配置し難くなるおそれがある。逆に、上記最長距離Ｌｍａｘが上記上限を超えると、蓋外フラップ３ａ、３ｂの基端縁１４と突片１１とを十分に干渉させ難くなるおそれがある。
【００３３】
蓋外フラップ３ａ、３ｂの延出方向における境界線１２と端部スリット１３ｂとの最長距離Ｌｍａｘと境界線１２と端部スリット１３ｂとの最短距離Ｌｍｉｎとの差の下限としては、０．８ｍｍが好ましく、１．０ｍｍがより好ましい。一方、上記差の上限としては、２．５ｍｍが好ましく、２．０ｍｍがより好ましい。上記差が上記下限に満たないと、蓋外フラップ３ａ、３ｂの基端縁１４と突片１１との押圧力を十分に大きくし難くなるおそれがある。逆に、上記差が上記上限を超えると、蓋外フラップ３ａ、３ｂを折り曲げた際に、蓋外フラップ３ａ、３ｂの基端縁１４を突片１１の内面側に配置しつつ、蓋外フラップ３ａ、３ｂの基端縁１４と突片１１とを十分に干渉させることが困難になるおそれがある。
【００３４】
端部スリット１３ｂは円弧状であることが好ましい。また、上記円弧は、真円の円弧であることが好ましい。この構成によると、蓋外フラップ３ａ、３ｂの折り曲げ状態を容易かつ確実に維持することができる。
【００３５】
端部スリット１３ｂが円弧状である場合、端部スリット１３ｂは、第１側面パネル１ａ、１ｂ側に向けて凸であることが好ましい。端部スリット１３ｂが第１側面パネル１ａ、１ｂ側に向けて凸である場合、端部スリット１３ｂの両側の部分において、蓋外フラップ３ａ、３ｂの延出方向における境界線１２と端部スリット１３ｂとの距離が最大となる。その結果、蓋外フラップ３ａ、３ｂを折り曲げた際に、蓋外フラップ３ａ、３ｂの基端縁１４を突片１１の内面側に配置しやすくすることができる。また、端部スリット１３ｂが第１側面パネル１ａ、１ｂ側に向けて凸であることで、蓋外フラップ３ａ、３ｂの基端縁１４と突片１１との押圧力を十分に大きくして、蓋外フラップ３ａ、３ｂの折り曲げ状態を確実に維持することができる。
【００３６】
（蓋内フラップ）
一対の蓋内フラップ４ａ、４ｂはそれぞれ略矩形状である。一対の蓋内フラップ４ａ、４ｂ同士は略同一形状である。蓋内フラップ４ａ、４ｂの幅は、第２側面パネル２ａ、２ｂの左右方向長さと略等しい。蓋内フラップ４ａ、４ｂの延出方向長さは、蓋外フラップ３ａ、３ｂの延出方向長さと同じとすることができる。
【００３７】
（底外フラップ）
一対の底外フラップ５ａ、５ｂはそれぞれ略矩形状である。一対の底外フラップ５ａ、５ｂ同士は略同一形状である。底外フラップ５ａ、５ｂは、蓋外フラップ３ａ、３ｂと同一形状とすることができる。第１側面パネル１ａ、１ｂと底外フラップ５ａ、５ｂとの境界部分には、第１側面パネル１ａ、１ｂと蓋外フラップ３ａ、３ｂとの境界部分に設けられているのと同様のロック機構が設けられている。
【００３８】
（底内フラップ）
一対の底内フラップ６ａ、６ｂはそれぞれ略矩形状である。一対の底内フラップ６ａ、６ｂ同士は略同一形状である。底内フラップ６ａ、６ｂの幅は、第２側面パネル２ａ、２ｂの左右方向長さと略等しい。底内フラップ６ａ、６ｂの延出方向長さは、底外フラップ５ａ、５ｂの延出方向長さと同じとすることができる。
【００３９】
＜利点＞
当該箱用シート１０は、第１側面パネル１ａ、１ｂと外フラップ（蓋外フラップ３ａ、３ｂ及び底外フラップ５ａ、５ｂ）との境界部分に、第１側面パネル１ａ、１ｂと外フラップとの境界線１２から外フラップの先端側に向けて延びる一対の側部スリット１３ａと、一対の側部スリット１３ａの先端部同士に接続される端部スリット１３ｂとによって画定される突片１１が設けられており、外フラップを第１側面パネル１ａ、１ｂ対して略垂直に折り曲げた際に、外フラップの基端縁１４が突片１１に当接することで、外フラップの折り曲げ状態を維持することができる。当該箱用シート１０は、端部スリット１３ｂが湾曲しており、外フラップの延出方向における境界線１２と端部スリット１３ｂとの最短距離がシート厚さの０．１倍以上０．９倍以下であるので、外フラップの折り曲げ状態で、外フラップの基端縁１４と突片１１とを互いに押圧することができる。そのため、当該箱用シート１０は、外フラップの折り曲げ状態を適切に維持することができる。
【００４０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４１】
上記実施形態では、一対の第１側面パネル及び一対の第２側面パネルが左右方向に交互に連接されている構成について説明した。但し、上記一対の第１側面パネル及び上記一対の第２側面パネルは、箱体に組み立てられた状態で互いに対向するように配置されていればよく、必ずしも左右方向に交互に連接されていなくてもよい。
【００４２】
上記実施形態では、第１側面パネルと蓋外フラップ、及び第１側面パネルと底外フラップとの境界部分にそれぞれ上述のロック機構が設けられている構成について説明した。但し、上記ロック機構は、上記第１側面パネルと上記蓋外フラップとの境界部分、及び上記第１側面パネルと上記底外フラップとの境界部分のいずれか一方のみに設けられていてもよい。
【００４３】
当該箱用シートは、上記第１側面パネルと上記蓋外フラップとの境界部分、及び上記第１側面パネルと上記底外フラップとの境界部分の少なくとも一方に上述のロック機構が設けられている限り、箱体の底部及び蓋部を形成するための具体的な構成は特に限定されるものではない。
【００４４】
上記端部スリットの具体的な形状は、上述の円弧状に限定されない。例えば上記端部スリットは、一端側から他端側に向けて波状に湾曲していてもよい。また、上記端部スリットが円弧状である場合であっても、この端部スリットは、外フラップの先端側に向けて凸に形成されていてもよい。
【産業上の利用可能性】
【００４５】
以上のように、本考案の一態様に係る箱用シートは、箱体に組み立てられた状態でフラップの折り曲げ状態を適切に維持するのに適している。
【符号の説明】
【００４６】
１ａ、１ｂ  第１側面パネル
２ａ、２ｂ  第２側面パネル
３ａ、３ｂ  蓋外フラップ
４ａ、４ｂ  蓋内フラップ
５ａ、５ｂ  底外フラップ
６ａ、６ｂ  底内フラップ
７  継代
１０  箱用シート
１１  突片
１２  境界線
１３ａ  側部スリット
１３ｂ  端部スリット
１４  基端縁
２０  箱体
Ｘ  封函テープ
Ｌｍｉｎ  蓋外フラップの延出方向における境界線と端部スリットとの最短距離
Ｌｍａｘ  蓋外フラップの延出方向における境界線と端部スリットとの最長距離
【図１】
0003234173.tif 000003
【図２】
0003234173.tif 000004
【図３】
0003234173.tif 000005
【図４】
0003234173.tif 000006